(57)【要約】【課題】枕木取替え工事により毎年大量に廃棄されることになる使用済みＰＣコンクリート製の鉄道枕木を粉砕用の動力源を使用せず、また粉砕時に粉塵や騒音の発生を生じさせることなく、大量に、且つ、効率良く再利用可能な海洋土木構造物を提供する。【解決手段】使用済みＰＣコンクリート製の鉄道枕木１ａ、１ｂ、１ｃ・・・を複数本単位で鋼製バンド２ａ、２ｂにて束ねた枕木束３、該束ねた枕木束３を複数個任意に段積して形成した略立法体や直方体からなる中詰め材、該中詰め材を鋼材などから構成する構成パレット６内に収めてコンクリート１１を打設してブロック形状の海洋土木構造物を製作するもので、該海洋土木構造物は使用済みＰＣコンクリート製の鉄道枕木１ａ、１ｂ、１ｃ・・・を大量に効率良く再利用可能である。【選択図】図２
2011256693.tif 000002
【特許請求の範囲】
【請求項１】
夫々の断面が台形の特異な形状を有している使用済みＰＣコンクリート製の鉄道枕木、該枕木を鋼製バンドにて複数本単位で束ねることにより夫々の枕木間に適宜な空隙を有する枕木束を作り、該適宜な空隙を有する枕木束を複数個任意に段積して中詰め材となし、該中詰め材を形成する段積された枕木束を生コンクリートで一体化して立方体や直方体、またはその組み合わせ形状からなるブロック形状物を構成し、該ブロック形状物をクレーンを用いて地中や海中に任意に積層、或いは配列配置可能に構成としたことを特徴とする枕木を再利用して製作する海洋土木構造物。
【請求項２】
夫々の断面が台形の特異な形状を有している使用済みＰＣコンクリート製の鉄道枕木を複数本単位で鋼製バンドにて束ねた枕木束、該束ねた枕木束を複数個任意に段積して形成した中詰め材、該中詰め材をパレットやパレット枠から構成する鋼製パレット上に積載し、該鋼製パレット全体をＰＣコンクリート型枠内に載置して生コンクリートを打設して立方体や直方体、またはその組み合わせ形状からなるブロック形状物を構成し、該ブロック形状物をクレーンを用いて地中や海中に任意に積層、或いは配列配置可能に構成したことを特徴とする枕木を再利用して製作する海洋土木構造物。
【請求項３】
夫々の断面が台形の特異な形状を有している使用済みＰＣコンクリート製の鉄道枕木を複数本単位で鋼製バンドにて束ねた枕木束、該束ねた枕木束を複数個任意に段積して形成した中詰め材、該中詰め材をパレットやパレット枠から構成する鋼製パレット上に積載し、該鋼製パレット全体をエキスパンドメタルで覆い、該エキスパンドメタルで被覆した鋼製パレットをＰＣコンクリート型枠内に載置して生コンクリートを打設して立方体や直方体、またはその組み合わせ形状からなるブロック形状物を構成し、該ブロック形状物をクレーンを用いて地中や海中に任意に積層、或いは配列配置可能に構成したことを特徴とする枕木を再利用して製作する海洋土木構造物。
【請求項４】
夫々の断面が台形の特異な形状を有している使用済みＰＣコンクリート製の鉄道枕木を複数本単位で鋼製バンドにて束ねた枕木束、該束ねた枕木束を予め製作しておいたＰＣコンクリート製のケーソン枠や根固めブロック枠内に段積して配置し、該枕木束が段積されたケーソン枠や根固めブロック内に生コンクリートを打設して夫々のブロック形状物、即ちケーソンブロックまたは根固めブロックを構成したことを特徴とする枕木を再利用して製作する海洋土木構造物。
【請求項５】
前記枕木束を複数個任意に段積して形成した中詰め材、該中詰め材を鋼製パレットに載置し、或いは鋼製パレットに載置した中詰め材をエキスパンドメタルで覆った状態でケーソン函体に直接挿入してコンクリートを打設しながら積層することでケーソン函体内に中詰めブロックを構成することを特徴とする請求項２及び請求項３に記載の枕木を再利用して製作する海洋土木構造物。
【請求項６】
前記ブロック形状物にはＵボルトやアイボルトからなる楊重用吊り金具を予め固着突設して設け、該楊重用吊り金具はケーソンブロックや根固めブロックの上部に位置していることを特徴とする請求項１乃至請求項４の何れかに記載の枕木を再利用して製作する海洋土木構造物。
【請求項７】
夫々の断面が台形の特異な形状を有している使用済みＰＣコンクリート製の鉄道枕木、該枕木を鋼製バンドにて複数本単位で束ねることにより夫々の枕木間に適宜な空隙を有する枕木束を作り、該適宜な空隙を有する枕木束を複数個任意に段積して中詰め材となし、該中詰め材を形成する段積された枕木束を生コンクリートで一体化して立方体や直方体、またはその組み合わせ形状からなるブロック形状物を構成することを特徴とする枕木を再利用して製作する海洋土木構造物の製造方法。
【発明の詳細な説明】
【技術分野】
【０００１】
本発明は、使用済み枕木を再利用して製作する海洋土木構造物に関するものであり、特に本発明は、港湾工事や海洋工事に用いられるケーソンの中詰めブロックや根固めブロック等を使用済みＰＣコンクリート製の鉄道枕木を用いて製作するものであり、また、本発明は使用済みＰＣコンクリート製の鉄道枕木を大量に、且つ、効率良く再利用できる海洋土木構造物の製造方法を提供するものである。
【背景技術】
【０００２】
近時、東海道新幹線は、ＰＣコンクリート製の鉄道枕木を新しい物に交換する取替え工事を始めてきており、順次、他の新幹線や、在来線においてもＰＣコンクリート製の枕木の取替え工事が計画、実施されてきている。
【０００３】
使用済みＰＣコンクリート製の枕木は、廃棄物処理法（廃棄物の処理および清掃に関する法律）、並びにリサイクル法（建設工事に係る資材の再資源化等に関する法律）に基づいて再生工場に持ち込まれ、再生工場内で粉砕し、コンクリート粉砕片やピアノ線、そして鉄筋等の骨材に分別して道路建設の路盤材として再生利用されてきた。
【０００４】
然しながら、使用済みのＰＣコンクリート製の枕木は、その再利用製品を作るために多大な粉砕用の動力源を必要とし、また、粉塵や騒音の発生を伴う粉砕の作業現場では、防音や防塵対策など工場の設備を重装備にしなくてはならず、採算性の非常に悪いリサイクル方法であった。
【０００５】
また、リサイクルされたコンクリート粉砕片や骨材等の再利用製品は、主に路盤材として道路建設に使用されてきたものであるが、近年、道路建設工事は激減しており、折角生産した再利用製品は需要がなく、ストックヤードに山積み在庫されているのが現況である。
【０００６】
更に、再利用製品としてリサイクルされるＰＣコンクリート製の枕木の粉砕片は、長年にわたり野外で鉄道軌道用に使用されてきたものであり、鉄道車両が落としていくオイルやボルト穴に残留したオイル等、何らかの物質で汚染されている可能性もあり、その再利用方法は、再度生コンクリートと混合して固形化する方法などに限定されてしまう。
【発明の概要】
【発明が解決しようとする課題】
【０００７】
本発明が解決しようとする課題は、これからの枕木取替え工事により毎年大量に廃棄されることになる使用済みＰＣコンクリート製の鉄道枕木を粉砕用の動力源を用いず、また枕木を粉砕せずに再利用することで、粉砕時の粉塵や騒音の発生を生じさせることなく、大量に、効率良く再利用可能な使用済みＰＣコンクリート製の鉄道枕木を用いた海洋土木製品を提供する。
【０００８】
また、本発明は、使用済みＰＣコンクリート製の鉄道枕木を粉砕してコンクリートの粉砕片やピアノ線や鉄筋等の骨材に分別作業して再利用するのではなく、使用済みＰＣコンクリート製枕木であっても強度や耐久性を充分に有する資材であるので、該使用済みＰＣコンクリート製の鉄道枕木を手を加えて粉砕加工するのではなく原型のままで海洋土木構造物となるケーソンの中詰めブロックや、ケーソンブロック、そして根固めブロック等に再利用するリサイクル方法を提供するものである。
【課題を解決する手段】
【０００９】
而して、本発明は、夫々の断面が台形の特異な形状を有している使用済みＰＣコンクリート製の鉄道枕木、該枕木を鋼製バンドにて複数本単位で束ねることにより夫々の枕木間に適宜な空隙を有する枕木束を作り、該適宜な空隙を有する枕木束を複数個任意に段積して中詰め材となし、該中詰め材を形成する段積された枕木束を生コンクリートで一体化して立方体や直方体、またはその組み合わせ形状からなるブロック形状物を構成し、該ブロック形状物をクレーンを用いて地中や海中に任意に積層、或いは配列配置可能に構成とした使用済み鉄道枕木を再利用して製作するケーソンの中詰めブロック、ケーソンブロック、そして根固めブロック等の海洋土木構造物を提供すると共にその製造方法も提供するものである。    
【００１０】
本発明は、課題を解決する手段として、夫々の断面が台形の特異な形状を有している使用済みＰＣコンクリート製の鉄道枕木を複数本単位で鋼製バンドにて束ねた枕木束、該束ねた枕木束を複数個任意に段積して形成した中詰め材、該中詰め材をパレットや鋼材枠から構成する鋼材枠パレット上に積載し、該鋼材枠パレット全体をＰＣコンクリート型枠内に載置して生コンクリートを打設して立方体や直方体、またはその組み合わせ形状からなるブロック形状物を構成し、該ブロック形状物をクレーンを用いて地中や海中に任意に積層、或いは配列配置可能に構成する使用済み鉄道枕木を再利用して製作する海洋土木構造物を提供するものである。
【００１１】
また、本発明は、夫々の断面が台形の特異な形状を有している使用済みＰＣコンクリート製の鉄道枕木を複数本単位で鋼製バンドにて束ねた枕木束、該束ねた枕木束を複数個任意に段積して形成した中詰め材、該中詰め材をパレットや鋼材枠から構成する鋼材枠パレット上に積載し、該鋼材枠パレット全体をエキスパンドメタルで覆い、該エキスパンドメタルで被覆した鋼材枠パレットをＰＣコンクリート型枠内に載置して生コンクリートを打設して立方体や直方体、またはその組み合わせ形状からなるブロック形状物を構成し、該ブロック形状物をクレーンを用いて地中や海中に任意に積層、或いは配列配置可能に構成した使用済み鉄道枕木を再利用して製作する海洋土木構造物を提供する。
【００１２】
更に、本発明は、夫々の断面が台形の特異な形状を有している使用済みＰＣコンクリート製の鉄道枕木を複数本単位で鋼製バンドにて束ねた枕木束、該束ねた枕木束を予め製作しておいたＰＣコンクリート製のケーソン枠や根固めブロック枠内に段積して配置し、該枕木束が段積されたケーソン枠や根固めブロック内に生コンクリートを打設して夫々のブロック形状物、即ちケーソンブロックまたは根固めブロックを構成した使用済み鉄道枕木を再利用して製作する海洋土木構造物を提供する。
【発明の効果】
【００１３】
斯くして、本発明は、使用済みＰＣコンクリート製の鉄道枕木を粉砕用動力源を用いて、また騒音や粉塵を撒き散らして粉砕することもなく、そのまま海洋土木構造物を構成するケーソン中詰めブロックや、ケーソンブロック、そして根固めブロック等の内部構造材として効率良く使用されるものであり、例えば、ケーソンの中詰めブロックの大きさは、概略、幅Ｗ＝２９００ｍｍ、長さＬ＝３８００ｍｍ、そして、高さＨ＝１５００ｍｍと大きなブロック形状物であることから、その内部構造体として１ブロックにおおよそ１３６本もの使用済み枕木が用いられるもので、近年、枕木取替え工事により毎年大量に廃棄されることになる使用済みＰＣコンクリート製の鉄道枕木を大量に、しかも、効率良く再利用できる製品と使用場所を提供するものである。
【００１４】
また、従来のケーソンの中詰めブロックは、ＰＣコンクリート型枠内に生コンクリートを打設して所定の重量を確保するものであるが、本発明における中詰めブロックへの内部構造体としては、使用済み枕木を複数本ずつ枕木束として積極的に投入するもので、枕木束を中詰めブロックの内部構造材として用いることは、打設する生コンクリートの使用量が大幅に節減できるために、セメント製造時に排出するＣＯ2 の削減など持続可能な社会に向けての取り組みとしても大いに役立つものである。
【図面の簡単な説明】
【００１５】
【図１】本発明の使用済み枕木を枕木束として構成した形態を示す斜視説明図である。
【図２】実施例１の説明図で図１の枕木束を段積して鋼材構造物内に配列収納した状態を示す平断面図である。
【図３】実施例１の説明図で図２のＡ−Ａ要部断面を示す立面図である。
【図４】実施例１の説明図で図２及び図３において説明した金枠により製作されたケーソンの中詰め材を示す斜視説明図である。
【図５】図４の中詰めブロックをケーソンの中詰め材として利用する実施例を示す説明図である。
【図６】実施例２の説明図でパレットと枕木束を説明する斜視図である。
【図７】実施例２の説明図で鋼製パレット枠に収納された枕木束を説明する斜視図である。
【図８】実施例２の説明図でケーソン内に収めた鋼製パレットを説明する斜視図である。
【図９】実施例３の説明図でケーソン枠内に収めた枕木束を示す斜視図である。
【図１０】（Ａ）実施例３の説明図で根固め枠と枕木束を説明する斜視図である。（Ｂ）実施例３の説明図で根固め枠に枕木枠を収めた状態を示す斜視図である。         （Ｃ）実施例３の説明図で根固めブロックを配置した状態を示す斜視図である。
【図１１】ケーソンブロック、根固めブロックを港湾工事で使用した例を示す説明図である。
【発明を実施するための形態】
【００１６】
本発明は、使用済みＰＣコンクリート製の鉄道枕木を再利用して製作するケーソンの中詰めブロック、ケーソンブロック、そして、根固めブロック等海洋土木構造物に関するものであり、また、本発明は使用済みＰＣコンクリート製の鉄道枕木を大量に、且つ、効率良く再利用できる方法を提供するものである。
【００１７】
前記ケーソンとは、防波堤などの港湾土木構造物として使用され、或いは地下構造物を構築する際に用いられるコンクリート製、または鋼製の大型の函体であり、このような港湾土木構造物としての函体は、体積分の浮力が働くため、その抑止対策として、従来から砂、鋼製スラブ、生コンクリート等の中詰め材が投入されてきた。
【００１８】
コストの安い砂や、鋼製スラブのケーソン内への充填は、ケーソンを構成する函体がひび割れを起こした場合に流出し、函体が構成する構造物を不安定にしてしまうために、生コンクリートの充填が望ましいが、砂や鋼製スラブに比較してコスト高となる。
【００１９】
斯くして、本発明におけるケーソンの中詰めブロックを用いることは、使用済みＰＣコンクリート製の鉄道枕木を生コンクリートで被覆したコンクリートの２次製品を使用することになり、例えば、ケーソンを構成する函体がひび割れを起こししても流出して構造物を不安定にすることもなく、また、海水を汚染する心配もなく安全性の高い施工をすることができる。
【００２０】
本発明においては、ケーソンの函体内に中詰め材として、生コンクリートを投入しているコストの縮減が目標でもあるが、函体内に投入する生コンクリートの使用量が節減されるため、セメント製造時に排出するＣＯ２の削減など持続可能な社会に向けて、使用済みＰＣコンクリート製枕木の維持している強度や耐久性を再度利用することは、地球環境にとっても大変に好ましいことである。
【００２１】
また、本発明においては、使用済みＰＣコンクリート製の鉄道枕木は、粉砕用動力源を用いて粉砕することや、また粉砕作業で騒音や粉塵を撒き散らすることもなく、そのまま中詰め材として効率良く使用されるものであり、例えば、ケーソンの中詰め材の大きさは、概略、幅Ｗ＝２９００ｍｍ、長さＬ＝３８００ｍｍ、そして、高さＨ＝１５００ｍｍと大きなブロック形状物であることから、その中詰め材として１ブロックにおおよそ１３６本もの使用済み枕木が一度に使われるものであり、近年、枕木取替え工事により毎年大量に廃棄されることになる使用済みＰＣコンクリート製の鉄道枕木を大量に処理しながら、しかも、効率良く再利用可能な製品として提供できるものである。
【００２２】
本発明において、使用済みＰＣコンクリート製の鉄道枕木は、夫々の断面が台形の特異な形状をしていることから、該枕木を複数本単位で束ねることにより夫々の枕木間に適宜な空隙を有する枕木束を作り、該適宜な空間を有する枕木束を複数個任意に段積して中詰め材となし、該中詰め材を形成する段積された枕木束を生コンクリートで一体化することで前記夫々の枕木束の空隙に生コンクリートが充填されたケーソンの中詰め材ブロックを提供可能である。
【００２３】
本発明は、前記夫々の断面が台形の特異な形状を有している使用済みＰＣコンクリート製の鉄道枕木を大量に集積し、該枕木を鋼製バンドにて複数本単位で束ねることにより夫々の枕木間に適宜な空隙を有する枕木束を作り、該適宜な空隙を有する枕木束を複数個任意に段積して中詰め材となし、該中詰め材を形成する段積された枕木束を生コンクリートで一体化して立方体や直方体、またはその組み合わせ形状からなるブロック形状物を構成し、該ブロック形状物をクレーンを用いて地中や海中に任意に積層、或いは配列配置したものである。
【００２４】
本発明の具体的な実施例として、前記夫々の断面が台形の特異な形状を有している使用済みＰＣコンクリート製の鉄道枕木を複数本単位で鋼製バンドにて束ねた枕木束、該束ねた枕木束を複数個任意に段積して形成した中詰め材、該中詰め材をパレットや鋼材枠から構成する鋼材枠パレット上に積載し、該鋼材枠パレット全体をＰＣコンクリート型枠内に載置して生コンクリートを打設して立方体や直方体、またはその組み合わせ形状からなるブロック形状物を構成し、該ブロック形状物をクレーンを用いて地中や海中に任意に積層、或いは、配列配置したものである。
【００２５】
また、本発明は、夫々の断面が台形の特異な形状を有している使用済みＰＣコンクリート製の鉄道枕木を複数本単位で鋼製バンドにて束ねた枕木束、該束ねた枕木束を複数個任意に段積して形成した中詰め材、該中詰め材をパレットや鋼材枠から構成する鋼材枠パレット上に積載し、該鋼材枠パレット全体をエキスパンドメタルで覆い、該エキスパンドメタルで被覆した鋼材枠パレットをＰＣコンクリート型枠内に載置して生コンクリートを打設して立方体や直方体、またはその組み合わせ形状からなるブロック形状物を構成し、該ブロック形状物はクレーンを用いて地中や海中に任意に積層、或いは配列配置したものである。
【００２６】
更に、本発明は、夫々の断面が台形の特異な形状を有している使用済みＰＣコンクリート製の鉄道枕木を複数本単位で鋼製バンドにて束ねた枕木束、該束ねた枕木束を予め製作しておいたＰＣコンクリート製のケーソン枠や根固めブロック枠内に段積して配置し、該枕木束が段積されたケーソン枠や根固めブロック内に生コンクリートを打設して夫々のブロック形状物、即ちケーソンブロックまたは根固めブロックを構築したものである。
【実施例１】
【００２７】
図１は、本発明の使用済み枕木を枕木束として構成した形態を示す斜視説明図、図２は、図１の枕木束を段積して鋼材構造物内に配列収納した状態を示す平断面図、図３は、図２のＡ−Ａ要部断面を示す立面図、図４は、図２及び図３において説明した型枠により製作されたケーソンの中詰めブロックを説明する斜視説明図、図５は、図４の中詰めブロックをケーソンの中詰め材として利用するための実施例を示す説明図である。
【００２８】
図１乃至図５において、１ａ、１ｂ、１ｃ・・・は、その断面形状が台形を有する使用済みＰＣコンクリート製の鉄道枕木、２ａ、２ｂは例えば１２本の使用済みＰＣコンクリート製の鉄道枕木１ａ、１ｂ、１ｃ・・・をまとめて枕木束３を製作するための鋼製バンドである。
【００２９】
而して、前記枕木束３は、使用済みＰＣコンクリート製の鉄道枕木１ａ、１ｂ、１ｃ・・・を枕木の撤去現場からＰＣコンクリート工場に搬入する際に鋼製バンド２ａ、２ｂを用いて作ることも容易に可能であり、また、枕木束３は、夫々の枕木がその断面形状で台形を有していることから枕木束としてまとめた際に空隙部４ａ、４ｂ、４ｃ・・・を形成することになり、該空隙部４ａ、４ｂ、４ｃ・・・には型枠内で生コンクリートを打設したときにコンクリートが充填され、ユニット（中詰め材）を強固に一体化可能である。
【００３０】
図２及び図３において、５は型枠、６はＨ型鋼を組んで構成された鋼材枠構造物であり、該鋼材枠構造物６は底辺部材７と上部部材８からなり、底辺部材７と上部部材８は四辺に立設された支柱９ａ、９ｂ、９ｃ、９ｄにより接続され函体を形成しており、該鋼材枠構造物６内に図１において説明した使用済みＰＣコンクリート製の鉄道枕木１ａ、１ｂ、１ｃ・・からなる枕木束３ａ、３ｂ、３ｃ・・・がギッシリと段積されている。
【００３１】
そして、３ａ、３ｂ、３ｃ・・・は夫々鋼製バンド２ａ、２ｂにて拘束された枕木束３ａ、３ｂ、３ｃ・・・であり、前記鋼材枠構造物６は型枠５に挿入される前にその全体をエキスパンドメタル１０で覆い、後にコンクリート１１を打設された際にＰＣコンクリート表面にひび割れができないような構成を有している。
【００３２】
また、前記鋼材枠構造物６の上部部材８には、Ｕボルトやアイボルトからなる楊重用吊り金具１２ａ、１２ｂを固着突設して設けており、該楊重用吊り金具１２ａ、１２ｂの先端部は前記枕木束３ａ、３ｂ、３ｃ・・・を中詰めブロック１３の内部構造材としてＰＣコンクリート化した場合に上部のシャクリ穴１４内に楊重用吊り金具１２ａ、１２ｂとして存在している。
【００３３】
図３は特に型枠５内にて中詰めブロック１３が形成される状態を示しており、図３の状態から型枠５を脱型すれば、図４に示すケーソン用の中詰めブロック１３が形成される。中詰めブロック１３はその上部中央のシャクリ穴１４を有し、その内部に夫々楊重用吊り金具１２ａ、１２ｂを有している。また、１５ａ、１５ｂ、１５ｃ、１５ｄは中詰めブロック１３をケーソン函体内で積層する固着する際に用いられるガイド穴である。
【００３４】
斯くして、図５は、本発明の中詰めブロック１３をクレーン台船１６で港湾施設現場のケーソン函体１７に運び、ケーソン函体１７の中詰めブロック１３として使用される。
【００３５】
本発明の実施例は、使用済みＰＣコンクリート製の鉄道枕木１ａ、１ｂ、１ｃ・・・は夫々の断面が台形の特異な形状をしていることから、該枕木を複数本単位で束ねることにより夫々の枕木間に適宜な空隙を有する枕木束３を作り、該適宜な空間を有する枕木束３を複数個任意に段積して内部構造材となし、該内部構造材を形成する段積された枕木束３を生コンクリートで一体化することで前記夫々の枕木束３の空隙にコンクリート１１が充填されたケーソンの中詰めブロックを提供することができる。
【００３６】
本発明のより具体的な実施例１は、使用済みＰＣコンクリート製の鉄道枕木１ａ、１ｂ、１ｃ・・・を複数本単位で鋼製バンド２ａ、２ｂにて束ねた枕木束３、該束ねた枕木束３を複数個任意に段積して形成した略立法体や直方体からなる内部構造材、該内部構造材をＨ型鋼材などから構成する鋼材枠パレット６内に収めて全体をエキスパンドメタル１０で覆い製作された枕木束内蔵の中詰め材、該中詰め材をコンクリート型枠内に載置して生コンクリート１１を打設して中詰めブロック１３を製作するもので、該中詰めブロック１３は使用済みＰＣコンクリート製の鉄道枕木１ａ、１ｂ、１ｃ・・・を大量に効率良く再利用可能とするものである。
【００３７】
また、本発明は、夫々の断面が台形の特異な形状を有している使用済みＰＣコンクリート製の鉄道枕木１ａ、１ｂ、１ｃ・・・を複数本単位で鋼製バンド２ａ、２ｂにて束ねた枕木束３を作り、該束ねた枕木束３を複数個任意に段積して形成した中詰め材、該中詰め材をパレットや鋼材枠から構成する鋼材枠パレット６上に積載し、該鋼材枠パレット全体をＰＣコンクリート型枠内に載置して生コンクリートを打設して立方体や直方体、またはその組み合わせ形状からなる中詰めブロック１３を構成し、該中詰めブロック１３はクレーン台船１６を用いてケーソン函体１７や、地中や海中に任意に積層、或いは配列配置可能に構成したものである。
【００３８】
そして、本発明の他の構成は、夫々の断面が台形の特異な形状を有している使用済みＰＣコンクリート製の鉄道枕木１ａ、１ｂ、１ｃ・・・を複数本単位で鋼製バンド２ａ、２ｂにて束ねた枕木束３を作り、該束ねた枕木束３を複数個任意に段積して形成した中詰め材、該中詰め材をパレットや鋼材枠から構成する鋼材枠パレット６上に積載し、該鋼材枠パレット６全体をエキスパンドメタルで覆い、該エキスパンドメタルで被覆した鋼材枠パレット６をＰＣコンクリート型枠５内に載置して生コンクリートを打設して立方体や直方体、またはその組み合わせ形状からなるブロック形状物を構成することも可能である。
【実施例２】
【００３９】
図６乃至図８は実施例２を説明するものであり、図６はパレットと枕木束を説明する斜視図、図７は鋼製パレットに収納された枕木束を説明する斜視図、図８はケーソン内に収められた鋼製パレットを説明する斜視図である。図６乃至図８において、６は鋼製パレット、３は枕木束、１８は鋼製パレット枠、１９は中詰め材、１７はケーソン函体である。
【００４０】
図６は夫々の断面が台形の特異な形状を有している使用済みＰＣコンクリート製の鉄道枕木１ａ、１ｂ、１ｃ・・・を複数本単位で鋼製バンド２ａ、２ｂにて束ねた枕木束３を作り、該束ねた複数の枕木束３を鋼製パレット６に載置して、図７に示す如くパレット枠１８で覆い、該パレット枠１８で覆われた枕木束３をそのまま現場に運び、例えば図８に示すケーソン函体１７内に載置して生コンクリートを打設することで、ケーソン函体１７内に積層されたにケーソンの中詰めブロック１３を形成する。
【００４１】
即ち、実施例２は、前記枕木束を複数個任意に段積して形成した中詰め材１９を作り、該中詰め材１９を鋼製パレットに載置し、或いは鋼製パレットに載置した中詰め材をエキスパンドメタルで覆った状態でケーソン函体に直接挿入してコンクリートを打設しながら積層することでケーソン函体内に中詰めブロックを構成することを特徴としている。
【実施例３】
【００４２】
図９乃至図１１は実施例３を説明するものであり、図９はケーソン枠の内部に枕木束を収めた状態を示す斜視図、図１０（Ａ）、（Ｂ）、（Ｃ）は根固めブロックを製作する手順を説明する斜視図であり、図１１はケーソンブロック、根固めブロックを港湾工事で使用した例を示す説明図である。
【００４３】
図９乃至図１１において、２０はＰＣコンクリート製のケーソン枠、１９は枕木束３からなる中詰め材、２１はケーソンブロック、２２はＰＣコンクリート製の根固め枠であり、該根固め枠２１は例えばＨ型形状をした型枠材で、該根固め枠２１の内部には枕木束３を縦方向に収めて構成された中詰め材１９が収納されて根固めブロック２３を構成している。
【００４４】
実施例３において、ケーソンブロック２１と根固めブロック２３は、夫々の断面が台形の特異な形状を有している使用済みＰＣコンクリート製の鉄道枕木１ａ、１ｂ、１ｃ・・・を複数本単位で鋼製バンド２ａ、２ｂにて束ねた枕木束３、該束ねた枕木束３を予め製作しておいたＰＣコンクリート製のケーソン枠２０や根固め枠２２内に段積して配置し、該枕木束３が段積されたケーソン枠２０や根固め枠２２にコンクリートを打設して夫々のブロック形状物、即ちケーソンブロック２１、または根固めブロック２３を構成している。
【００４５】
そして、前記ケーソンブロック２１は、図１１に示す如く港湾工事の防波堤２４を構築したり、該防波堤の根固め２５を構築するものである。
尚、２６は前記Ｈ型鋼形状の根固めブロック２３に対して組み合わせての設置に都合のよいプラス形状の根固めブロックであり、このような形状の製作容易である。
【００４６】
斯くして、本発明は、使用済みＰＣコンクリート製の鉄道枕木を粉砕用動力源で粉砕するものではないために、粉砕作業における騒音や粉塵を撒き散らしての作業もなく、そのまま中詰め材の内部構造材として効率良く使用されるものであり、また、ケーソンの中詰め材の大きさは、概略、幅Ｗ＝２９００ｍｍ、長さＬ＝３８００ｍｍ、そして、高さＨ＝１５００ｍｍと大きなブロック形状物であることから、その内部構造体として１ブロックにおおよそ１３６本もの使用済み枕木が使われるものであり、近年、枕木取替え工事により毎年大量に廃棄されることになる使用済みＰＣコンクリート製の鉄道枕木を大量に、しかも、効率良く再利用できる製品と使用方法を提供するものである。
【００４７】
また、従来のケーソン用の中詰め材は、ＰＣコンクリート型枠内に生コンクリートを打設して所定の重量を確保するものであるが、本発明における中詰め材への内部構造体としては使用済み枕木を複数本ずつ枕木束として積極的に投入するもので、枕木束を中詰め材の内部構造材として用いることは、打設する生コンクリートの使用量が大幅に節減できるために、セメント製造時に排出するＣＯ2 の削減など持続可能な社会に向けての取り組みとしても大いに役立つものである
【符号の説明】
【００４８】
１、１ａ、１ｂ、１ｃ・・・  使用済みＰＣコンクリート製の鉄道枕木
２ａ、２ｂ  鋼製バンド
３  枕木束
４ａ、４ｂ、４ｃ・・・  空隙
５  型枠
６  鋼製パレット
７  底辺部材
８  上部部材
９ａ、９ｂ、９ｃ、９ｄ  支柱
１０  エキスパンドメタル
１１  コンクリート
１２ａ、１２ｂ  楊重用吊り金具
１３  中詰めブロック
１４  シャクリ穴
１５ａ、１５ｂ、１５ｃ、１５ｄ  ガイド穴
１６  クレーン台船
１７  ケーソン函体
１８  パレット枠
１９  中詰め材
２０  ケーソン枠
２１  ケーソンブロック
２２  根固め枠
２３  根固めブロック
２４  防波堤
２５  根固め
２６  根固めブロック
【図１】
2011256693.tif 000003
【図２】
2011256693.tif 000004
【図３】
2011256693.tif 000005
【図４】
2011256693.tif 000006
【図５】
2011256693.tif 000007
【図６】
2011256693.tif 000008
【図７】
2011256693.tif 000009
【図８】
2011256693.tif 000010
【図９】
2011256693.tif 000011
【図１０】
2011256693.tif 000012
【図１１】
2011256693.tif 000013